(57)【特許請求の範囲】
【請求項１】
ユーザの操作により４個の位置に回転可能な４個のファンクションキーを備え、
前記４個のファンクションキーから、いずれかのファンクションキーが選択されるステップと、
前記選択されたファンクションキーに割当てるための機能が指定されるステップと、
前記選択されたファンクションキーの位置を判断するステップと、
前記選択されたファンクションキーとその位置との組合わせに対応させて、前記指定された機能を割当てるステップと、
を含むことを特徴とする移動通信端末のキー機能設定方法。
【請求項２】
前記ファンクションキーが選択されるステップは、前記選択されたファンクションキーに対応する第１キーデータを取得し、
前記位置を判断するステップは、前記判断した位置に対応する第２キーデータを取得し、
前記機能を割当てるステップは、前記第１キーデータ及び第２キーデータの組合わせに対応させて、前記指定された機能を割当てることを特徴とする請求項１に記載の移動通信端末のキー機能設定方法。
【請求項３】
前記４個のファンクションキーは、前記移動通信端末の回転キーパッドに備えられ、
前記機能を割当てるステップは、選択されたファンクションキー及び前記回転キーパッドの回転位置の組合わせに対応させて、前記指定された機能を割当てることを特徴とする請求項２に記載の移動通信端末のキー機能設定方法。
【請求項４】
前記第２キーデータは、前記回転キーパッドの回転位置を示すことを特徴とする請求項３に記載の移動通信端末のキー機能設定方法。
【請求項５】
前記選択されたファンクションキー又はその周辺に、そのファンクションキーの位置に応じて、前記割当てられた機能を示す識別子を表示するステップを更に含むことを特徴とする請求項１に記載の移動通信端末のキー機能設定方法。
【請求項６】
前記４個のファンクションキーの機能設定画面を表示するステップを更に含み、
前記ファンクションキーが選択されるステップは、いずれかのファンクションキーが前記機能設定画面を用いて選択され、
前記機能が指定されるステップは、前記選択されたファンクションキーに割当てるための機能が前記機能設定画面を用いて指定され、
前記位置を判断するステップは、前記機能設定画面を用いて指定された位置を判断することを特徴とする請求項１に記載の移動通信端末のキー機能設定方法。
【請求項７】
前記４個のファンクションキーの機能設定画面を表示するステップは、前記４個のファンクションキーに未だ割当てられていない機能をさらに表示し、
前記機能が指定されるステップは、前記画面に表示された機能のなかから選択された機能が指定されることを特徴とする請求項６に記載の移動通信端末のキー機能設定方法。
【請求項８】
ユーザの操作により４個の位置に回転可能な４個のファンクションキーを備え、
前記４個のファンクションキーのうち、いずれかのファンクションキーが選択されるステップと、
前記選択されたファンクションキーの位置を判断するステップと、
前記選択されたファンクションキーとその位置との組合わせに基づいて決定される機能を実行するステップと、
を含むことを特徴とする移動通信端末のキー機能実行方法。
【請求項９】
前記選択されたファンクションキーの機能は、ユーザによって設定された機能であることを特徴とする請求項８に記載の移動通信端末のキー機能実行方法。
【請求項１０】
ユーザの操作により４個の位置に回転可能な４個のファンクションキーと、
各ファンクションキーに割当てるための機能が指定される機能指定部と、
各ファンクションキーに対し、その位置ごとに、前記指定された機能を割当てる機能設定部と、
を含むことを特徴とする移動通信端末。
【請求項１１】
前記機能設定部は、各ファンクションキーに対応した第１キーデータを取得すると共に各ファンクションキーの位置に対応した第２キーデータを取得し、
前記機能設定部は、前記第１キーデータ及び第２キーデータの組合わせに対応させて、前記指定された機能を割当てることを特徴とする請求項１０に記載の移動通信端末。
【請求項１２】
前記４個のファンクションキーは、前記移動通信端末の回転キーパッドに備えられ、
前記機能設定部は、各ファンクションキーに対し、前記回転キーパッドの回転位置ごとに、前記指定された機能を割当てることを特徴とする請求項１０に記載の移動通信端末。
【請求項１３】
前記４個のファンクションキーは、前記移動通信端末の回転キーパッドに備えられ、
前記第２キーデータは、前記回転キーパッドの回転位置を示すことを特徴とする請求項１１に記載の移動通信端末。
【請求項１４】
前記各ファンクションキー又はその周辺に、各ファンクションキーの位置に応じて、前記割当てられた機能を示す識別子を表示する識別子表示部を更に含むことを特徴とする請求項１０に記載の移動通信端末。
【請求項１５】
前記４個のファンクションキーの機能設定画面を表示する画面表示部を更に含み、
前記機能指定部は、前記機能設定画面を用いて機能が指定され、
前記機能設定部は、前記機能設定画面を用いて選択されたいずれかのファンクションキーと、前記機能設定画面を用いて指定された位置との組合わせに対応させて、前記指定された機能を割当てることを特徴とする請求項１０に記載の移動通信端末。
【請求項１６】
前記画面表示部は、前記４個のファンクションキーに未だ割当てられていない機能をさらに表示し、
前記機能設定部は、前記機能設定画面に表示された機能のなかから選択された機能が指定されることを特徴とする請求項１５に記載の移動通信端末。
【請求項１７】
ユーザの操作により４個の位置に回転可能な４個のファンクションキーと、
前記４個のファンクションキーのうちいずれかのファンクションキーが選択されると、そのファンクションキーの位置を判断する位置判断部と、
前記選択されたファンクションキー及びその位置との組合わせに基づいて決定される機能を実行する機能実行部と、
を含むことを特徴とする移動通信端末。
【請求項１８】
前記選択されたファンクションキーの機能は、ユーザによって設定された機能であることを特徴とする請求項１７に記載の移動通信端末。
【請求項１９】
複数のファンクションキーのうち、いずれかのファンクションキーが選択されるステップと、
前記複数のファンクションキーから、いずれかのファンクションキーが選択されるステップと、
前記選択されたファンクションキーに割当てるための機能が指定されるステップと、
前記複数のファンクションキーとは別に設けられ、各ファンクションキーの機能を切り替えるために用いられる機能切替キーの操作回数を判断するステップと、
前記選択されたファンクションキーと前記機能切替キーの操作回数との組合わせに対応させて、前記指定された機能を割当てるステップと、
を含むことを特徴とする移動通信端末のキー機能設定方法。
【請求項２０】
前記ファンクションキーが選択されるステップは、前記選択されたファンクションキーに対応する第１キーデータを取得し、
前記操作回数を判断するステップは、前記機能切替キーの操作回数に対応する第２キーデータを取得し、
前記機能を割当てるステップは、前記第１キーデータ及び第２キーデータの組合わせに対応させて、前記選択されたキーに機能を割当てることを特徴とする請求項１９に記載の移動通信端末のキー機能設定方法。
【請求項２１】
前記選択されたファンクションキー又はその周辺に、前記機能切替キーの操作回数に応じて、そのファンクションキーに割当てた機能を示す識別子を表示するステップを更に含むことを特徴とする請求項１９に記載の移動通信端末のキー機能設定方法。
【請求項２２】
前記複数のファンクションキーの機能設定画面を表示するステップを更に含み、
前記ファンクションキーが選択されるステップは、いずれかのファンクションキーが前記機能設定画面を用いて選択され、
前記機能が指定されるステップは、前記選択されたファンクションキーに割当てるための機能が前記機能設定画面を用いて指定され、
前記操作回数を判断するステップは、前記機能設定画面を用いて指定された操作回数を判断することを特徴とする請求項１９に記載の移動通信端末のキー機能設定方法。
【請求項２３】
複数のファンクションキーのうち、いずれかのファンクションキーが選択されるステップと、
前記複数のファンクションキーとは別に設けられ、各ファンクションキーの機能を切り替えるために用いられる機能切替キーの操作回数を判断するステップと、
前記選択されたファンクションキーと前記機能切替キーの操作回数との組合わせに基づいて決定される機能を実行するステップと、
を含むことを特徴とする移動通信端末のキー機能実行方法。
【請求項２４】
前記選択されたファンクションキーの機能は、ユーザによって設定された機能であることを特徴とする請求項２３に記載の移動通信端末のキー機能実行方法。
【請求項２５】
ユーザの操作によりその位置が可変する複数のファンクションキーと、
前記複数のファンクションキーとは別に設けられ、各ファンクションキーの機能を切り替えるために用いられる機能切替キーと、
各ファンクションキーに割当てるための機能が指定される機能指定部と、
各ファンクションキーに対し、前記機能切替キーの操作回数に対応させて、前記指定された機能を割当てる機能設定部と、
を含むことを特徴とする移動通信端末。
【請求項２６】
前記機能設定部は、各ファンクションキーに対応した第１キーデータを取得すると共に前記機能切替キーの操作回数に対応した第２キーデータを取得し、
前記機能設定部は、前記第１キーデータ及び第２キーデータの組合わせに対応させて、前記指定された機能を割当てることを特徴とする請求項２５に記載の移動通信端末。
【請求項２７】
前記選択されたファンクションキー又はその周辺に、前記機能切替キーの操作回数に応じて、そのファンクションキーに割当てた機能を示す識別子を表示する識別子表示部を更に含むことを特徴とする請求項２５に記載の移動通信端末。
【請求項２８】
前記複数のファンクションキーの機能設定画面を表示する画面表示部を更に含み、
前記機能指定部は、前記機能設定画面を用いて機能が指定され、
前記機能設定部は、前記機能設定画面を用いて選択されたいずれかのファンクションキーと、前記機能設定画面を用いて指定された操作回数との組合わせに対応させて、前記指定された機能を割当てることを特徴とする請求項２５に記載の移動通信端末。
【請求項２９】
ユーザの選択によりその位置が可変する複数のファンクションキーと、
前記複数のファンクションキーとは別に設けられ、各ファンクションキーの機能を切り替えるために用いられる機能切替キーと、
前記複数のファンクションキーのうちいずれかのファンクションキーが選択されると、前記機能切替キーの操作回数を判断する位置判断部と、
前記選択されたファンクションキー及び前記機能切替キーの操作回数との組合わせに基づいて決定される機能を実行する機能実行部と、
を含むことを特徴とする移動通信端末。
【請求項３０】
前記選択されたファンクションキーの機能は、ユーザによって設定された機能であることを特徴とする請求項２９に記載の移動通信端末。
【発明の詳細な説明】
【技術分野】
【０００１】
本発明は、移動通信端末においてユーザが希望する機能が簡単な操作で実行される技術に関する。
【背景技術】
【０００２】
移動通信端末は、音声通信機能の他にも、データ伝送及び他機能を提供する。これによって、移動通信端末は、ユーザが多様な機能を選択して実行することができるように、複数の関連するメニューオプションを含むグラフィックユーザインターフェース（ＧＵＩ）を提供する。
【０００３】
例えば、メインメニューでサブメニューを表示するように選択することができる。サブメニューを選択すると、移動通信端末のキーパッド（例えば数字キーなど）を用い、サブメニューに設定された機能を実行することができる。
【０００４】
また、移動通信端末は、特定の機能を実行するためのファンクションキーを提供する。例えば、ファンクションキーにはユーザが関連するメニューオプションを表示できるメニューキーとしての機能が割当てられる。
【発明の開示】
【発明が解決しようとする課題】
【０００５】
しかしながら、メインメニューからサブメニューを表示する方法では、ユーザが希望する機能を実行するために関連するメニューを段階的に経なければならないため、ユーザにとって使い勝手が悪く、不便であった。また、ファンクションキーの機能は移動通信端末の製造者により予め設定され、ユーザが変更することができないため、ユーザは、移動通信端末の製造者により予め機能が設定されたファンクションキーを使用できるに過ぎなかった。このため、ユーザが希望する機能を移動通信端末に実行させるためには、複雑な操作をしなくてはならなかった。
【０００６】
そこで、本発明は以上のような従来の問題点に鑑み、ユーザが希望する機能を簡単な操作で実行できるようにすることを目的とする。
【課題を解決するための手段】
【０００７】
本発明の一態様によれば、ユーザの操作により４個の位置に回転可能な４個のファンクションキーを備え、前記４個のファンクションキーから、いずれかのファンクションキーが選択されるステップと、前記選択されたファンクションキーに割当てるための機能が指定されるステップと、前記選択されたファンクションキーの位置を判断するステップと、前記選択されたファンクションキーとその位置との組合わせに対応させて、前記指定された機能を割当てるステップと、を含んだキー機能設定方法、及び、これに対応する移動通信端末を提供する。
また、本発明の他の態様によれば、ユーザの操作により４個の位置に回転可能な４個のファンクションキーを備え、前記４個のファンクションキーのうち、いずれかのファンクションキーが選択されるステップと、前記選択されたファンクションキーの位置を判断するステップと、前記選択されたファンクションキーとその位置との組合わせに基づいて決定される機能を実行するステップと、を含んだキー機能実行方法、及び、これに対応する移動通信端末を提供する。
【０００８】
また、本発明の他の態様によれば、複数のファンクションキーのうち、いずれかのファンクションキーが選択されるステップと、前記複数のファンクションキーから、いずれかのファンクションキーが選択されるステップと、前記選択されたファンクションキーに割当てるための機能が指定されるステップと、前記複数のファンクションキーとは別に設けられ、各ファンクションキーの機能を切り替えるために用いられる機能切替キーの操作回数を判断するステップと、前記選択されたファンクションキーと前記機能切替キーの操作回数との組合わせに対応させて、前記指定された機能を割当てるステップと、を含んだキー機能設定方法、及び、これに対応する移動通信端末が提供される。
また、本発明の他の態様によれば、複数のファンクションキーのうち、いずれかのファンクションキーが選択されるステップと、前記複数のファンクションキーとは別に設けられ、各ファンクションキーの機能を切り替えるために用いられる機能切替キーの操作回数を判断するステップと、前記選択されたファンクションキーと前記機能切替キーの操作回数との組合わせに基づいて決定される機能を実行するステップと、を含んだキー機能実行方法、及び、これに対応する移動通信端末を提供する。
【発明の効果】
【０００９】
本発明によれば、移動通信端末の製造者によって予め指定されているファンクションキーの他にも、ユーザが便利に実行することを希望する機能をファンクションキーに設定可能となることによって、簡単な操作で速かに希望する機能を実行することができる。
【００１０】
また、本発明によれば、回転キーパッドに備えられた複数のファンクションキーが、その位置によって夫々異なる機能を実行するため、回転キーパッドを時計方向または反時計方向に回転させれば、ユーザが希望する多くの機能が簡単な操作で実行することができる。
【００１１】
また、本発明によれば、各ファンクションキー毎に設定された機能情報が表示されることで、ユーザは各ファンクションキー毎に設定された機能情報を記憶しなくてもよく、また、機能情報を確認しながら該当機能を実行することができる。
【００１２】
また、本発明によれば、機能切替キーの操作回数によって切り替えられる各ファンクションキーの機能情報を画面及び／またはキー入力部上に表示することによって、ユーザが希望する機能を便利に選択することができる。
【００１３】
そして、前記のような本発明によれば、機能切替キーの操作回数を予め指定された領域にアイコンで表示することによって、ユーザが機能切替キーの操作回数を容易に認識（判断）することができる。
【００１４】
本発明が適用される範囲は、以下、記述される詳細な説明から明白であるはずである。しかしながら、詳細な説明及び例は、本発明の好ましい実施形態を示し、単に例示として提供されるものであって、本発明が属する技術分野の通常の知識を有する者は、本発明の思想と範囲内で多様な変更及び変形が可能であることが分かる。
【発明を実施するための最良の形態】
【００１５】
以下、添付された図面を参照しつつ本発明の好ましい実施形態を詳細に説明する。
【００１６】
図１は、本発明の一実施形態に係るキー機能設定方法及びキー機能実行方法を実行する移動通信端末を説明するためのブロック図である。
【００１７】
図１を参照すれば、移動通信端末１００は、機能が設定されるキー（以下、ファンクションキーという）に設定された機能及びファンクションキーに機能を設定するためのキーデータを含む多様な情報を格納するメモリ１１０、移動通信端末１００の動作を制御する制御部１２０、通信ネットワークとの無線信号処理を実行するＲＦ部１３０、音声処理部１４０、スピーカー１５０、マイクロホン１６０、キー入力部１７０及びユーザに情報を表示する表示部１８０を含んで構成される。
【００１８】
一実施形態によれば、ファンクションキーが４個のボタンを含む回転キーパッドに形成されている。回転キーパッドはどの方向にも回転させることができる。また、各ファンクションキー（例えば、Up key、Down Key、Left Key、Right Key）について、夫々のキーを識別する「第１キーデータ」が割当てられている。このようなキーは他の位置に回転できるので、キーの位置を識別するために「第２キーデータ」が使われる。また、他の実施形態では、ファンクションキーとは別に設けられ、ファンクションキーの機能を切り替えるために用いられる機能切替キーが操作される回数を識別するために第２キーデータが使われる。制御部１２０は選択されたファンクションキーと、そのファンクションキーの回転位置に基づいて、実行される機能を決定するために、第１キーデータ及び第２キーデータを使用する。このような特徴に対しては、より詳細に後述する。
【００１９】
また、メモリ１１０は、ＲＯＭ、ＥＥＰＲＯＭ、フラッシュメモリなどに制御部１２０の動作プログラムを格納し、移動通信端末１００を動作させるためのシステムプログラムを格納する。メモリ１１０はまたデータを一時格納するためのＲＡＭを含む。また、メモリ１１０は、第１キーデータ及び第２キーデータと選択されたファンクションキーに対する機能情報を格納する。これによって、制御部１２０はファンクションキーに設定された機能を直ちに実行させるために、格納されたデータを使用することができる。
【００２０】
また、制御部１２０は、回転された回転キーパッド上の各ファンクションキーに設定された機能情報をファンクションキー又はその周辺に表示する。これによって、ユーザは機能情報を参照しながら回転キーパッドを任意の方向に回転させて、希望する機能を容易に選択することができる。
【００２１】
ＲＦ部１３０は、制御部１２０の制御を受けて、制御部１２０から出力される信号を無線信号に変換する。また、ＲＦ部１３０は、アンテナ（ＡＮＴ）を介して受信された無線信号を希望する信号に変換して出力する。
【００２２】
音声処理部１４０は、マイクロホン（microphone）１６０から入力された音声信号を変調して音声データに変換し、ＲＦ部１３０から入力された音声データ及びメモリ１１０に格納された音声データを音声信号に復調してスピーカー（speaker）１５０を介して音声に出力する。
【００２３】
キー入力部１７０は、数字キー、メニューキー及びユーザが各種機能を実行するためのファンクションキーを含む。また、キー入力部１７０はダイヤルキー、通話キー、終了キー、取消キーなどを含む回転可能な回転キーパッド及び固定キーパッドを含む。
【００２４】
表示部１８０は、液晶表示装置（ＬＣＤ）などのような表示装置であって、制御部１２０の制御を受けて移動通信端末１００の動作実行と関連した情報を表示する。即ち、移動通信端末の全般的な状態及び入力されるユーザ情報などを表示する。なお、表示部１８０が、画面表示部に相当する。
【００２５】
図２を参照すれば、制御部１２０は、移動通信処理部１２１、機能設定処理部１２２、認識部１２３、実行部１２４及び画面表示処理部１２５を含んで構成される。
【００２６】
移動通信処理部１２１は、移動通信端末で無線通信手段を活用して移動通信サービスを遂行するためのモジュールであって、公知の移動通信技術からを使用して構成されて動作するので、ここでは詳細な説明を省略する。
【００２７】
機能設定処理部１２２は、回転キーパッドのファンクションキーの各々に機能情報を設定し、設定された機能情報をメモリ１１０に格納する。なお、機能設定処理部１２２が、機能指定部及び機能設定部に相当する。
【００２８】
より詳細に説明すれば、機能設定処理部１２２は、設定ウィンドウ提供部１２２ａ、機能情報提供部１２２ｂ及びファンクションキー設定部１２２ｃを含む。また、第１キーデータ及び第２キーデータは合算され、その結果はファンクションキーの機能を決定するために使われる。
【００２９】
設定ウィンドウ提供部１２２ａは、ユーザから入力された回転キーパッドの任意のファンクションキーに対する機能情報設定要求によって、ユーザが希望する機能を設定するための設定ウィンドウ（機能設定画面）を提供する。
【００３０】
機能情報提供部１２２ｂは、設定ウィンドウ提供部１２２ａにより提供された設定ウィンドウで機能情報表示が要求された場合、回転キーパッドのファンクションキーに未だ設定されていない機能情報を提供する。これによって、ユーザにより各ファンクションキーに機能情報を重複して設定されてしまうことを防ぐことができる。なお、かかる機能情報を、表示部１８０に表示しても良い。
【００３１】
ファンクションキー設定部１２２ｃは、機能情報提供部１２２ｂにより提供された機能情報のうち、ユーザによりいずれか１つの機能情報が選択されれば、選択された機能情報を該当ファンクションキーの機能情報として設定する。
【００３２】
認識部１２３は、ユーザから回転キーパッドのファンクションキーが入力されれば、入力されたファンクションキーのキーデータとそのファンクションキーが位置した位置データを認識する。
【００３３】
実行部１２４は、認識部１２３により認識された第１キーデータ及び第２キーデータを合算して、合算された合算データにより実行される機能情報を検出して、検出された機能情報によって該当機能を実行する。なお、実行部１２４が、機能実行部に相当する。
【００３４】
より詳細に説明すれば、実行部１２４は、合算部１２４ａ及び検出部１２４ｂを含む。
【００３５】
合算部１２４ａは、ファンクションキーの第１キーデータ及び第２キーデータを合算する。
【００３６】
検出部１２４ｂは、合算部１２４ａにより合算された合算データに基づいて、実行される機能情報を決定し、メモリ１１０から検出する。
【００３７】
また、合算されたデータに対応して、各々の機能情報がメモリ１１０に格納されているため、選択されたファンクションキーの位置と関係なしに、直ちに該当機能を実行することができる。
【００３８】
画面表示処理部１２５は、回転キーパッドの各ファンクションキーに予め設定された設定情報を画面上に表示する。この際、回転させた位置で実行される各ファンクションキーの機能情報を同一な色で表示して、ユーザが画面上に表示された設定情報を参考して容易にファンクションキーを該当位置だけ回転させて、直ちに希望する機能を実行させることができる。
【００３９】
このようにすることで、ユーザが設定したファンクションキーの該当機能を簡単な操作で実行することができる。
【００４０】
図３は、本発明の一実施形態に係る移動通信端末のキー機能設定方法及びキー機能実行方法を示すフローチャートである。以下の説明で、図１及び２が共に参照される。
【００４１】
図３を参照すれば、制御部１２０は、回転キーパッドに備えられた各ファンクションキーの第１キーデータと第２キーデータがメモリ１１０に格納されるようにする（Ｓ１０１）。
【００４２】
次に、機能設定処理部１２２は、回転キーパッドのファンクションキーを実行するための少なくとも１つの機能情報を設定するファンクションキー設定サブルーチンを遂行する（Ｓ１０２）。図４を参照して、このようなサブルーチンをより詳細に後述する。
【００４３】
次に、認識部１２３は、ユーザから回転キーパッドのファンクションキーが選択されたどうかを判断する（Ｓ１０３）。上述したように、回転キーパッドは手で自由に時計方向または反時計方向に回転させることができる構造となっている。
【００４４】
前記ステップＳ１０３の判断結果、ユーザから回転キーパッドのファンクションキーが選択されていない場合、認識部１２３は所定時間待機状態を維持してからプロセスを終了する。
【００４５】
前記ステップＳ１０３の判断結果、ユーザから回転キーパッドのファンクションキーが選択された場合、認識部１２３は選択されたファンクションキーに該当する第１キーデータ及び第２キーデータを取得する（Ｓ１０５）。
【００４６】
次に、合算部１２４ａは、第１キーデータ及び第２キーデータを合算する（Ｓ１０７）。
次に、検出部１２４ｂは、合算された合算データに対応させて格納された機能情報をメモリ１１０から検出する（Ｓ１０９）。
【００４７】
次に、実行部１２４は、検出された機能情報によって該当機能を実行する（Ｓ１１１）。
【００４８】
これによって、ユーザが予め設定したファンクションキーを回転させて選択すれば、希望する機能を簡単な操作で実行することができる。
【００４９】
図４を参照してファンクションキー設定サブルーチン（Ｓ２００）を説明する。より詳しくは、機能設定処理部１２２はユーザからファンクションキーに対する機能情報設定が要求されたかどうかを判断する（Ｓ２０２）。
【００５０】
前記ステップＳ２０２の判断結果、ユーザからファンクションキーの機能情報設定が要求されていない場合、機能設定処理部１２２は図３のステップＳ１０３を実行する。
【００５１】
前記ステップＳ２０２の判断結果、ユーザからファンクションキーの機能情報設定が要求された場合、設定ウィンドウ提供部１２２ａは、ファンクションキーの機能情報を設定するための設定ウィンドウ（機能設定画面）を提供する（Ｓ２０４）。この際、提供された設定ウィンドウはファンクションキー（例えば、Up Key）に基本設定されている機能情報、残りのファンクションキー（例えば、Left Key、Right Key、Down key）の回転によって実行される機能情報を設定する設定欄を含む。
【００５２】
次に、機能設定処理部１２２は、ユーザから設定可能な機能の機能情報表示が要求されたかどうかを判断する（Ｓ２０６）。
【００５３】
前記ステップＳ２０６の判断結果、ユーザから設定される機能情報表示が要求されていない場合、機能設定処理部１２２は所定時間待機状態を維持する。
【００５４】
前記ステップＳ２０６の判断結果、ユーザから設定される機能情報表示が要求された場合、機能情報提供部１２２ｂは回転キーパッドのファンクションキーに設定されていない機能情報をリストとして提供する（Ｓ２０８）。
【００５５】
次に、機能設定処理部１２２は、提供されたリストのうち、ユーザから機能情報が選択されたかどうかを判断する（Ｓ２１０）。
【００５６】
前記ステップＳ２１０の判断結果、ユーザから機能情報が選択されていない場合、機能設定処理部１２２は所定時間待機状態を維持する。
【００５７】
前記ステップＳ２１０の判断結果、ユーザにより機能情報が選択され、且つ機能を設定するファンクションキー及びその位置が特定されると、ファンクションキー設定部１２２ｃは選択された機能情報を該当ファンクションキーの当該位置における機能情報に設定して、設定された機能情報をメモリ１１０に格納する（Ｓ２１２）。
即ち、ファンクションキー設定部１２２ｃは選択された機能情報に対応させてその機能情報が実行される合算データをメモリ１１０に格納する。この際、合算データは、ファンクションキーに対応する第１キーデータと前記キーの位置に対応する第２キーデータとを合算して得たデータをいい、これに対してはより詳細に後述する。
上記の説明では、ファンクションキー及びその位置を参照可能な機能設定画面を用いて機能を設定する方法を説明したが、本発明におけるキー機能設定方法はこれに限らない。即ち、複数のファンクションキーからいずれかのファンクションキーが選択され、選択されたファンクションキーに割当てるための機能が指定されたときに、認識部１２３によって選択されたファンクションキーの位置を判断する。そうすれば、ファンクションキーとその位置との組合わせが特定可能である。そして、選択されたファンクションキーとその位置との組合わせに対応させて、指定された機能を割当てる。
【００５８】
図５を参照して回転されていない状態での回転キーパッドのファンクションキーに対応する機能実行方法を説明すれば、次の通りである。
【００５９】
図５に示すように、回転キーパッドのファンクションキーは方向キー（Up key、Down Key、Left Key、Right Key）である。例えば、キーが選択された際、Up Keyの第１キーデータは０ｘ００００１であり、Left Keyの第１キーデータは０ｘ０００１１であり、Right Keyの第１キーデータは０ｘ００１００であり、Down Keyの第１キーデータは０ｘ００１０１であると仮定する。
【００６０】
また、回転されていない状態での第２キーデータがUp Keyの場合０ｘ００１１０であり、left keyの場合０ｘ１１００１であり、right keyの場合０ｘ０１１００であり、down keyの場合０ｘ１００１１であると仮定する。次に、第１キーデータ及び第２キーデータは実行される機能を決定するために合算される。
【００６１】
本実施形態では、回転キーパッドの回転によって可能な位置を４個（これによって可能なファンクションキーは４*４個）に説明するが、回転キーパッドは幾つかの位置にも回転されることができる。例えば、回転キーパッドが１２個の位置に回転できる場合、４*１２個のファンクションキーを設定して使用することができる。
【００６２】
このように、回転キーパッドに備えられたファンクションキーを４個に限定して説明しているが、本発明はこれに限るものではない。
【００６３】
制御部１２０は回転させない状態で回転キーパッドのUp keyを選択することになれば、選択されたUp keyの第１キーデータ（０ｘ００００１）と第２キーデータ（例えば、０ｘ００１１０）とを合算した合算データ（例えば、０ｘ００１１１）に対応させて格納された機能情報をメモリ１１０から検出して、検出された機能情報によって該当機能（例えば、SMS（図５のａ１））を実行する。
【００６４】
ここで、UP Keyが選択されていない場合には、Up Keyの位置データである０ｘ００１１０が合算データとなるため、これに対応した機能情報がメモリ１１０に存在しない。従って、当然にUp Keyに対する機能は実行されない。
【００６５】
さらに、制御部１２０は、Left key、Right Key、Down Keyに対しても、Up Keyと同様に制御を行なう。Left Keyが選択される場合、Left Keyの第１キーデータ及び第２キーデータを合算した合算データに対応する機能情報を検出して、検出された機能情報によって該当機能（例えば、Scheduler（図５のｄ１））を実行する。
【００６６】
Right Keyが選択される場合、制御部１２０はRight Keyの第１キーデータ及び第２キーデータを合算した合算データに対応する機能情報を検出して、検出された機能情報によって該当機能（例えば、Cash Box（図５のｂ１））を実行する。
【００６７】
Down Keyが選択される場合、制御部１２０はDown Keyの第１キーデータ及び第２キーデータを合算した合算データに対応する機能情報を検出して、検出された機能情報によって該当機能（例えば、My Album（図５のｃ１））を実行する。
【００６８】
言い換えると、制御部１２０は予め指定されている位置（各ファンクションキーの位置）で、各々の位置に対応する位置データを格納しておき、ユーザにより選択されたファンクションキーの第１キーデータ及び第２キーデータを合算して得られた合算データによって該当機能情報を検出して、該当機能を実行することになる。
【００６９】
図６を参照して反時計方向に回転させた状態での回転キーパッドのファンクションキーに該当するキー機能実行方法を説明すれば、次の通りである。
【００７０】
制御部１２０は、図５の基準状態からで反時計方向に一段階回転させてUp keyが選択されれば、選択されたUp Keyの第１キーデータ（０ｘ００００１）及び第２キーデータ（０ｘ１１００１）を合算した合算データ（０ｘ１１０１０）に該当する機能情報をメモリ１１０から検出して、検出された機能情報によって該当機能（例えば、Menu_4（図６のａ２））を実行する。
【００７１】
同様に、Left key、Right Key、Down Keyにも同一に適用する。即ち、Left Keyが選択されれば、制御部１２０はLeft Keyの第１キーデータ（０ｘ０００１１）及び第２キーデータ（０ｘ１００１１）を合算した合算データ（０ｘ１０１１０）に該当する機能情報を検出して、検出された機能情報によって該当機能（例えば、Menu_7 （図６のｂ２））を実行する。
【００７２】
Right Keyが選択されれば、制御部１２０はRight Keyの第１キーデータ（０ｘ００１００）及び第２キーデータ（０ｘ００１１０）を合算した合算データ（０ｘ０１０１０）に該当する機能情報を検出して、検出された機能情報によって該当機能（例えば、Menu_1（図６のｄ２））を実行する。
【００７３】
Down Keyが選択されれば、制御部１２０はDown Keyの第１キーデータ（０ｘ００１０１）及び第２キーデータ（０ｘ０１１００）を合算した合算データ（０ｘ１０００１）に該当する機能情報を検出して、検出された機能情報によって該当機能（例えば、Menu_10（図６のｃ２））が実行される。
【００７４】
図７を参照して時計方向に回転させた状態での回転キーパッドのファンクションキーに該当する機能実行方法を説明すれば、次の通りである。
【００７５】
制御部１２０は、図５の基準状態から時計方向に一段階回転させてUp keyが選択されれば、選択されたUp Keyの第１キーデータ（０ｘ００００１）及び第２キーデータ（０ｘ０１１００）を合算した合算データ（０ｘ０１１０１）に該当する機能情報をメモリ１１０から検出して、検出された機能情報によって該当機能（例えば、Menu_12（図７のａ３））を実行する。
【００７６】
同様に、Left key、Right Key、Down Keyも同一に適用する。即ち、基準状態から時計方向に一段階回転させてLeft Keyが選択される場合、制御部１２０はLeft Keyの第１キーデータ（０ｘ０００１１）及び第２キーデータ（０ｘ００１１０）を合算した合算データ（０ｘ０１００１）に対応する機能情報によって該当機能（例えば、Menu_3（図７のｄ３））を実行する。
【００７７】
Right Keyが選択される場合、制御部１２０はRight Keyの第１キーデータ（０ｘ００１００）及び第２キーデータ（０ｘ１００１１）を合算した合算データ（０ｘ１０１１１）に対応する機能情報によって該当機能（例えば、Menu_9 （図７のｂ３））を実行する。
【００７８】
Down Keyが選択される場合、制御部１２０はDown Keyの第１キーデータ（０ｘ００１０１）及び第２キーデータ（０ｘ１１００１）を合算した合算データ（０ｘ１１１１０）に対応する機能情報によって該当機能（例えば、Menu_6 （図７のｃ３））を実行する。
【００７９】
したがって、本発明に係る移動通信端末は、任意の方向に回転させて、回転された位置で選択されたファンクションキーの第１キーデータ及び第２キーデータを用いて該当機能を簡単な操作で実行することができる。
【００８０】
このようなファンクションキーを選択することによって、実行される機能情報を設定する過程を図８（ａ）乃至図８（ｄ）を参照して説明すれば、次の通りである。
【００８１】
制御部１２０は、機能情報設定が要求された場合、図８（ａ）に示すような確認ウィンドウを提供し、提供された確認ウィンドウを通じてこのキーに対する機能情報設定が要求される場合、図８（ｂ）に示すように、設定ウィンドウを提供する。
【００８２】
図８（ｂ）の設定ウィンドウから機能情報が設定されていない設定項目（例えば、Menu_7）を選択すれば、制御部１２０は図８（ｃ）に示すように、設定されていない機能情報のリストを提供する。この際、図８（ｂ）の設定ウィンドウを通じて、基本設定された短縮機能設定情報を除外した残りの設定された機能情報を変更することができる。
【００８３】
次に、ユーザにより提供されたリストの中で、機能情報（例えば、３．画面設定）が選択されれば、制御部１２０は選択された機能情報をメモリ１１０に格納する。このように設定された機能情報は図８（ｄ）に図示された通りである。
【００８４】
ここで、画面設定機能は、ユーザにより図５の基準状態から反時計方向に一段階回転させた後、Left Keyを選択すれば実行される。なお、図５の基準状態から時計方向に３段階回転させた後、LeftKeyを選択するとしても画面設定機能を実行する。これは両方とも合算データが同一であるためである。
【００８５】
図９は、図８（ａ）乃至図８（ｄ）に示すような過程を通じて設定された各ファンクションキー毎に実行される機能情報を示す概略図である。
【００８６】
図９に示すように、例えば基準状態では、right keyにはキャッシュボックス機能が設定されており、Up keyにはＳＭＳ機能が設定されており、Left Keyにはスケジューラ（Scheduler）機能が設定されており、down keyにはマイアルバム機能が設定されている。このように、ユーザは、回転状態に応じて各ファンクションキーに設定されている機能を容易に確認し、他の機能を設定するファンクションキーが残っているかが分かる。
【００８７】
図１０は、本発明の他の実施形態に係るキー機能設定方法及びキー機能実行方法を実行する移動通信端末を説明するためのブロック図である。
【００８８】
図１０は、感知部１９０を含むことが図１と異なるだけである。したがって、本実施形態を説明することにおいて、以前の実施形態で既に説明された事項は重複を避けるために省略する。また、以前の実施形態の構成要素と同一または類似な構成要素に対しては同一の参照番号を付けしている。
【００８９】
より詳しくは、感知部１９０は待機状態のときに、ファンクションキーとは別に設けられ、ファンクションキーの機能を切り替えるために用いられる機能切替キーの操作回数を感知する。
【００９０】
制御部１２０は、感知された操作回数とユーザにより入力されたファンクションキーに相応するキーデータによって該当機能を実行する。また、メモリ１１０は、機能切替キーの選択回数によって任意のファンクションキーに対して互いに異なるように指定される各ファンクションキーの機能と、その機能の中で、実行される機能を選択するための各ファンクションキーのキーデータを格納している。以前の実施形態でのように、各ファンクションキーは４つの方向（上方向、下方向、左方向、右方向）に移動させることができる方向キーである。しかしながら、これとは異なるキー配列が使われることもできる。
【００９１】
本実施形態において、機能切替キーは４つの方向キーの中心に位置したセンターキー（center key）（図１５のｇ）として説明しているが、本発明はこれに限るのでなく、方向キーとは別途に備えられたボタンキーによっても具現可能である。したがって、回転キーパッドを回転させる代わりに、選択された方向キーと関連して機能切替キーを所定回数選択することができる。
【００９２】
感知部１９０は、このようなセンターキーの選択回数を感知して、感知された結果を制御部１２０に出力する。
【００９３】
特に、キー入力部１７０は、４つの方向キーのうち、いずれか１つの方向キーが選択されれば、選択（入力）されたキーのキーデータを制御部１２０に出力する。
【００９４】
また、キー入力部１７０は、画面上に表示された少なくとも１つの機能の中で、タッチ方式により実行される機能が選択されれば、選択された機能を実行するためのキーデータを制御部１２０に出力する。
【００９５】
制御部１２０は、移動通信端末の全般的な動作を制御すると共に、センターキーが操作されて、感知部１９０により感知された操作回数によって実行される各ファンクションキーの機能を表示して、表示された機能の中で、ユーザから選択されたファンクションキーのキーデータに該当する機能を実行する。
【００９６】
ここで、キーデータは４つの方向キーのうち、どの方向キーが選択されたかが分かる値である。
【００９７】
より詳細に説明すれば、制御部１２０は機能切替キーの操作回数によって任意のファンクションキーに対して互いに異なるように指定される機能と、その機能の中で、実行される機能を選択するための各ファンクションキーのキーデータをメモリ１１０に格納して置いた状態で、ユーザにより操作された機能切替キーの操作回数に相応して予め指定された各ファンクションキーの機能を表示して、表示された機能の中で、ユーザにより選択されたファンクションキーのキーデータに該当する機能をメモリ１１０から検出して、検出された機能を実行する。
【００９８】
また、制御部１２０は、ユーザから機能切替キーの操作回数によって実行される機能を表示する。これによって、各ファンクションキーに設定された機能を参考して希望する機能を便利に選択し実行することができる。
【００９９】
また、制御部１２０は、機能切替キーの操作回数を予め指定された領域にアイコンで表示する。これによって、ユーザが機能切替キーを何回操作したかが分かるだけでなく、操作回数に相応して予め指定された各ファンクションキーの機能を容易に認識することができる。
【０１００】
また、制御部１２０は、ディスプレイ装置（図示せず）を装着して、選択回数によって実行される各ファンクションキーの機能情報を表す絵、文字、数字、文字と数字の組合わせ情報をディスプレイ装置を通じて表示する。ここで、ディスプレイ装置は、例えばＬＥＤを含む。
【０１０１】
図１１は、図１０の制御部１２０を示すブロック図である。
【０１０２】
図１１の構成要素は、図２に図示された構成要素と類似している。これによって、図２に図示された構成要素の機能と異なる構成要素の機能に対してのみ説明する。図１１を参照すれば、制御部１２０は移動通信サービスを実行するための信号処理を実行する移動通信処理部１２１、機能設定処理部１２２、認識部１２３、実行部１２４、画面表示処理部１２５及び表示処理部１２６を含んで構成される。
【０１０３】
移動通信処理部１２１及び機能設定処理部１２２は、以前の実施形態での説明と同一であるので、その詳細な説明を省略する。
【０１０４】
認識部１２３は、感知部１９０により感知された機能切替キーの操作回数を認識する。
【０１０５】
また、認識部１２３は、キー入力部１７０により入力されたファンクションキーのキーデータを認識する。
【０１０６】
実行部１２４は、認識部１２３により認識された操作回数によって実行されるファンクションキーの機能情報のうち、キー入力部１７０により入力されて認識されたファンクションキーのキーデータに該当する機能情報をメモリ１１０から検出して、検出された機能情報によって該当機能を実行する。
【０１０７】
画面表示処理部１２５は、認識部１２３により認識された操作回数によって実行される各ファンクションキーの機能情報を画面上に表示する。
【０１０８】
表示処理部１２６は、認識部１２３により認識された操作回数によって実行される各ファンクションキーの機能情報をディスプレイ装置（例えば、ＬＥＤ）を通じて表示する。
【０１０９】
このようにすることで、ユーザが設定したファンクションキーの該当機能を簡単な操作で実行することができる。
【０１１０】
図１２は、本発明の他の実施形態に係る移動通信端末のキー機能設定方法及びキー機能実行方法を説明するための動作フローチャートである。以下、図１１を共に参照して説明する。
【０１１１】
図１２を参照すれば、制御部１２０は機能切替キーの操作回数により任意のファンクションキーに互いに異なるように指定される各ファンクションキーの機能と、その機能の中で、実行される機能を選択するために各ファンクションキーのキーデータがメモリ１１０に格納されるようにする（Ｓ３０１）。
【０１１２】
次に、機能設定処理部１２２は、機能切替キーの操作回数によって任意のファンクションキーを実行するための少なくとも１つの機能情報を設定するファンクションキー設定サブルーチンを遂行する（図１２のＳ１０２）。
【０１１３】
ここで、図４を参照してファンクションキー設定サブルーチンを説明する。機能設定処理部１２２はユーザからファンクションキーの機能情報設定が要求されたかどうかを判断する（Ｓ２０２）。
【０１１４】
前記ステップＳ２０２の判断結果、ユーザからファンクションキーの機能情報設定が要求されていない場合、機能設定処理部１２２は、図１２を参照して後述するステップＳ３０３にプロセスを移動する。
【０１１５】
前記ステップＳ２０２の判断結果、ユーザからファンクションキーの機能情報設定が要求された場合、設定ウィンドウ提供部１２２ａはファンクションキーの機能情報を設定するための設定ウィンドウ（機能設定画面）を提供する（Ｓ２０４）。この際、提供された設定ウィンドウは、機能切替キーの操作回数（例えば、１回）に応じてファンクションキーに基本設定されている機能情報、残りの操作回数（例えば、２回、３回、４回）によって実行される機能情報を設定する設定欄を含む。
【０１１６】
次に、機能設定処理部１２２は、ユーザから設定される機能情報表示が要求されたかどうかを判断する（Ｓ２０６）。
【０１１７】
前記ステップＳ２０６の判断結果、ユーザから設定される機能情報表示が要求されていない場合、機能設定処理部１２２は所定時間待機状態を維持する。
【０１１８】
前記ステップＳ２０６の判断結果、ユーザから設定される機能情報表示が要求された場合、機能情報提供部１２２ｂはファンクションキーに設定されていない機能情報をリストとして提供する（Ｓ２０８）。
【０１１９】
次に、機能設定処理部１２２は、提供されたリストのうち、ユーザから機能情報が選択されたかどうかを判断する（Ｓ２１０）。
【０１２０】
前記ステップＳ２１０の判断結果、ユーザから機能情報が選択されていない場合、機能設定処理部１２２は所定時間待機状態を維持する。
【０１２１】
前記ステップＳ２１０の判断結果、ユーザから機能情報が選択された場合、ファンクションキー設定部１２２ｃは選択された機能情報を該当ファンクションキーの機能情報に設定して、設定された機能情報をメモリ１１０に格納する。この際、ファンクションキー設定部１２２ｃは選択された機能情報に対応させて、その機能情報が実行される操作回数とキーデータをメモリ１１０に格納する。
ここで、上記の説明では、ファンクションキー及びその位置を参照可能な機能設定画面を用いて機能を設定する方法を説明したが、本発明におけるキー機能設定方法はこれに限らない。即ち、複数のファンクションキーからいずれかのファンクションキーが選択され、選択されたファンクションキーに割当てるための機能が指定されたときに、認識部１２３により、機能切替キーの操作回数を認識（判断）する。そうすれば、ファンクションキーと機能切替キーの操作回数との組合わせが特定可能である。そして、選択されたファンクションキーと機能切替キーの操作回数との組合わせに対応させて、指定された機能を割当てる。
【０１２２】
また、図１２において、認識部１２３は感知部１９０によりユーザから機能切替キー（例えば、図１５のｇのようなセンターキー）が操作されたかどうかを判断する（Ｓ３０３）。
【０１２３】
前記ステップＳ３０３の判断結果、ユーザから機能切替キーが選択されていない場合、認識部１２３は所定時間待機状態を維持する。
【０１２４】
前記ステップＳ３０３の判断結果、ユーザから機能切替キーが操作された場合、認識部１２３はユーザにより選択された機能切替キーの操作回数を認識する（Ｓ３０５）。
【０１２５】
次に、認識部１２３は、任意のファンクションキー（例えば、４つの方向キーのうち、 いずれか１つの方向キー）が選択されたかどうかを判断する（Ｓ３０７）。
【０１２６】
前記ステップＳ３０７の判断結果、任意のファンクションキーが選択されていない場合、認識部１２３は所定時間待機状態を維持してからプロセスを終了する。
【０１２７】
前記ステップＳ３０７の判断結果、任意のファンクションキーが選択された場合、認識部１２３は選択されたファンクションキーのキーデータを取得する（Ｓ３０９）。
【０１２８】
次に、実行部１２４は、認識された操作回数に相応して予め指定されたファンクションキーの機能情報の中で、取得されたファンクションキーのキーデータに該当する機能情報により該当機能を実行する（Ｓ３１１）。
なお、ファンクションキーが選択されてから、機能切替キーの操作回数を認識しても良い。このようにしても、ファンクションキーと機能切替キーの操作回数との組合わせを特定可能である。
【０１２９】
また、図１３に示すように、制御部１２０は認識された操作回数に相応して予め指定されたファンクションキーの機能を画面上に表示する。これによって、表示された機能の中で、実行するファンクションキーの機能をタッチ方式により選択することによって、選択された機能を実行することができる。
【０１３０】
また、制御部１２０は、図１４に示すように、機能切替キーの操作回数を予め指定された領域（ｅ）にアイコンで表示して、カーソル（ｆ）が位置したアイコンに該当する各ファンクションキーの機能の中で、任意のファンクションキーの選択によって該当機能を実行する。これによって、ユーザが機能切替キーの操作回数が容易に認識できるだけでなく、アイコンをカーソルにより移動させながらユーザが希望する機能を実行するためのファンクションキーを選択することができる。
【０１３１】
また、制御部１２０は、図１５に示すように、認識された操作回数に相応して予め指定されたファンクションキーの機能を表す短縮情報（識別子）をキー入力部１７０上にディスプレイ装置（例えば、ＬＥＤ）を通じて表示する。これによって、キー入力部１７０上に表示された短縮情報を見ながら希望する機能を便利に実行させることができる。なお、この表示が、識別子表示部に相当する。
【０１３２】
本実施形態では４つの方向キーの中心に位置したセンターキー（center key）（図１５のｇ）を機能切替キーとして説明しているが、本発明はこれに限るものではなく、この他にも任意のキーは別途に備えられたボタンキーによっても具現可能である。
【０１３３】
また、制御部１２０は、図１６に示すように、各ファンクションキーに互いに異なるように指定された機能を示す情報をキー入力部１７０の表面上に表示することもができる。これによって、ユーザが各ファンクションキーごとに互いに異なるように設定された機能を容易に確認することができる。
【０１３４】
このようにすることで、ユーザが設定したファンクションキーの該当機能を直接見ながら便利に実行することができる。
【０１３５】
以上、本発明は、前記に記述された実施形態により限るものでなく、当業者により多様な変形及び変更が可能であり、これは特許請求の範囲で定義される本発明の趣旨と範囲に含まれる。
【図面の簡単な説明】
【０１３６】
【図１】本発明の一実施形態に係るキー機能設定方法及びキー機能実行方法を実行する移動通信端末を説明するためのブロック図である。
【図２】移動通信端末の制御部を説明するためのブロック図である。
【図３】本発明の一実施形態に係る移動通信端末のキー機能設定方法及びキー機能実行方法を説明するための動作フローチャートである。
【図４】ファンクションキー設定サブルーチンを説明するための動作フローチャートである。
【図５】回転キーパッドを回転させていない状態を示す画面例示図である。
【図６】反時計方向に回転させた状態で任意のファンクションキーを選択して該当機能を実行する過程を説明するための画面例示図である。
【図７】時計方向に回転させた状態で任意のファンクションキーを選択して該当機能を実行する過程を説明するための画面例示図である。
【図８】ファンクションキーの短縮機能設定情報を設定する過程を説明するための画面例示図である。
【図９】回転キーパッドの各ファンクションキーに設定された機能を表す画面の概略図である。
【図１０】本発明の他の実施形態に係るキー機能設定方法及びキー機能実行方法を実行する移動通信端末を説明するためのブロック図である。
【図１１】図１０に図示された移動通信端末の制御部を説明するためのブロック図である。
【図１２】本発明の他の実施形態に係る移動通信端末のキー機能設定方法及びキー機能実行方法を説明するための動作フローチャートである。
【図１３】機能切替キーの操作回数によって実行される各ファンクションキーのための機能情報を示す画面例示図である。
【図１４】機能切替キーの操作回数を表示するアイコンを示す概略図である。
【図１５】操作回数によって実行される各ファンクションキーの機能情報が表示されたキー入力部を示す画面例示図である。
【図１６】各ファンクションキーに予め指定された機能情報が表示されたキー入力部を示す画面例示図である。
【符号の説明】
【０１３７】
１００  移動通信端末
１１０  メモリ
１２０  制御部
１２１  移動通信処理部
１２２  機能設定処理部
１２２ａ  設定ウィンドウ提供部
１２２ｂ  機能情報提供部
１２２ｃ  ファンクションキー設定部
１２３  認識部
１２４  実行部
１２４ａ  合算部
１２４ｂ  検出部
１２５  画面表示処理部
１２６  表示処理部
１３０  ＲＦ部
１４０  音声処理部
１５０  スピーカー
１６０  マイクロホン
１７０  キー入力部
１８０  表示部
１９０  感知部
【図１】
0004430648.tif 000002
【図２】
0004430648.tif 000003
【図３】
0004430648.tif 000004
【図４】
0004430648.tif 000005
【図５】
0004430648.tif 000006
【図６】
0004430648.tif 000007
【図７】
0004430648.tif 000008
【図８】
0004430648.tif 000009
【図９】
0004430648.tif 000010
【図１０】
0004430648.tif 000011
【図１１】
0004430648.tif 000012
【図１２】
0004430648.tif 000013
【図１３】
0004430648.tif 000014
【図１５】
0004430648.tif 000015
【図１６】
0004430648.tif 000016
【図１４】
0004430648.tif 000017